(57)【要約】【課題】近距離通信での無線接続が可能で、かつ充電及び通信に用いる接続線での接続が可能な電話機等の通信装置及び携帯型電話機等の電話装置を用い、通信装置から電話装置に発呼命令を送信させる場合に、複数の電話装置から適切な電話装置の選択を支援する通信装置、電話通信システム及び電話通信方法を提供する。【解決手段】通信装置１は、各電話装置についての近距離通信の登録状態及び接続部との接続状態に基づいて、電話通信網に接続させる発呼処理を実行する電話装置の候補を表示部に表示する処理を実行する（Ｓ３０２）。通信装置１は、発呼命令の送信先を選択する入力を受け付ける（Ｓ３０３）。通信装置１は、電話装置に発呼処理を実行させる発呼命令を、候補のうちから選択された電話装置へ近距離通信部から送信する（Ｓ３０４）。【選択図】図７
2014179867.tif 000002
【特許請求の範囲】
【請求項１】
電話通信網を介さずとも電話装置と通信することが可能な通信装置であって、
電話通信網を介さずに電話装置と無線による通信接続が可能な第１の接続部と、
接続された電話装置に電力を供給し、かつ接続された電話装置と通信が可能な第２の接続部と、
第１の接続部にて無線による通信接続を確立した電話装置から、該電話装置を識別する識別情報を取得する第１の取得手段と、
第２の接続部に接続された電話装置から、該電話装置を識別する識別情報を取得する第２の取得手段と、
前記第１の取得手段及び第２の取得手段にて取得した識別情報に基づいて、電話通信網に接続させる発呼処理を実行する電話装置の候補を出力する出力部と、
電話装置に発呼処理を実行させる発呼命令を、候補のうちから選択された電話装置へ送信する手段と
を備えることを特徴とする通信装置。
【請求項２】
請求項１に記載の通信装置であって、
前記出力部は、前記取得した識別情報に基づいて出力する電話装置の候補に、該電話装置の接続状況の情報を対応付けて出力する
ことを特徴とする通信装置。
【請求項３】
請求項１又は請求項２に記載の通信装置であって、
前記出力部は、前記第１の接続部及び第２の接続部の両方に接続されている電話装置を除外して、発呼処理を実行する電話装置の候補を出力する
ことを特徴とする通信装置。
【請求項４】
請求項１から請求項３までのいずれか１項に記載の通信装置と、
電話通信網を介さずとも前記通信装置と通信することが可能な一又は複数の電話装置と
を備え、
前記通信装置は、
前記電話装置と第１の接続部にて無線による通信接続が可能であり、
前記電話装置が第２の接続部に接続された場合に、前記電話装置に電力を供給し、かつ接続された電話装置と通信が可能である
ことを特徴とする電話通信システム。
【請求項５】
通信装置と、電話通信網を介さずとも前記通信装置と通信することが可能な一又は複数の電話装置とを用いた電話通信方法であって、
前記通信装置は、
電話通信網を介さずに無線による通信接続を確立した電話装置から、該電話装置を識別する識別情報を取得し、
電力を供給し、かつ通信が可能な接続部に接続された電話装置から、該電話装置を識別する識別情報を取得し、
それぞれ取得した識別情報に基づいて、電話通信網に接続させる発呼処理を実行する電話装置の候補を出力し、
電話装置に発呼処理を実行させる発呼命令を、候補のうちから選択された電話装置へ送信する
ことを特徴とする電話通信方法。
【発明の詳細な説明】
【技術分野】
【０００１】
本発明は、電話装置と通信することが可能な通信装置、そのような通信装置を備える電話通信システム、及びそのような電話通信システムにて実施される電話通信方法に関する。
【背景技術】
【０００２】
電話機等の通信装置において、ブルートゥース（Bluetooth ；登録商標）等の近距離通信機能を備えた機種が販売されている。このような通信装置は、近距離通信機能により、携帯型電話機等の他の電話装置と、電話通信網を介さずに接続し、他の電話装置と音声信号、各種情報、各種命令等の様々な情報を送受信することができる。従って、ユーザが通信装置を操作することにより、通信装置から電話装置へ発呼命令を送信し、電話装置に目的とする発呼先へ発呼させるというような使い方も可能である。
【０００３】
近距離通信機能を備えた電話機等の通信装置が、近距離通信機能により携帯型電話機等の他の電差装置と通信するシステムは、例えば特許文献１に開示されている。特許文献１では、携帯電話機と固定電話機とを、ブルートゥースで接続する電話システム等を開示している。
【先行技術文献】
【特許文献】
【０００４】
【特許文献１】特開２００５−３３６３５号公報
【発明の概要】
【発明が解決しようとする課題】
【０００５】
今後もこのような通信装置及び電話装置の連携の多様化を進める上で、例えば、通信装置に複数の電話装置が接続されている場合、発呼命令の送信先として選択の候補となる電話装置をどのように提示するかを検討する必要がある。
【０００６】
本発明は、このような状況に鑑みてなされたものであり、発呼命令の送信先の候補として、接続状況に基づく出力を行うことにより、候補のうちからユーザが最適な選択を行うことを支援する通信装置の提供を目的とする。
【０００７】
また、本発明は、本発明に係る通信装置を備えた電話通信システムを提供することを他の目的とする。
【０００８】
また、本発明は、本発明に係る通信システムにより電話通信を実行するための電話通信方法を提供することを更に他の目的とする。
【課題を解決するための手段】
【０００９】
上記課題を解決するため、本発明に係る通信装置は、電話通信網を介さずとも電話装置と通信することが可能な通信装置であって、電話通信網を介さずに電話装置と無線による通信接続が可能な第１の接続部と、接続された電話装置に電力を供給し、かつ接続された電話装置と通信が可能な第２の接続部と、第１の接続部にて無線による通信接続を確立した電話装置から、該電話装置を識別する識別情報を取得する第１の取得手段と、第２の接続部に接続された電話装置から、該電話装置を識別する識別情報を取得する第２の取得手段と、前記第１の取得手段及び第２の取得手段にて取得した識別情報に基づいて、電話通信網に接続させる発呼処理を実行する電話装置の候補を出力する出力部と、電話装置に発呼処理を実行させる発呼命令を、候補のうちから選択された電話装置へ送信する手段とを備えることを特徴とする。
【００１０】
また、本発明に係る通信装置は、前記出力部は、前記取得した識別情報に基づいて出力する電話装置の候補に、該電話装置の接続状況の情報を対応付けて出力することを特徴とする。
【００１１】
また、本発明に係る通信装置は、前記出力部は、電話装置の候補を、接続している接続部を示す情報に対応付けて出力することを特徴とする。
【００１２】
また、本発明に係る通信装置は、前記出力部は、前記第１の接続部及び第２の接続部の両方に接続されている電話装置を除外して、発呼処理を実行する電話装置の候補を出力することを特徴とする。
【００１３】
本発明に係る電話通信システムは、前記通信装置と、電話通信網を介さずとも前記通信装置と通信することが可能な一又は複数の電話装置とを備え、前記通信装置は、前記電話装置と第１の接続部にて無線による通信接続が可能であり、前記電話装置が第２の接続部に接続された場合に、前記電話装置に電力を供給し、かつ接続された電話装置と通信が可能であることを特徴とする。
【００１４】
本発明に係る電話通信方法は、通信装置と、電話通信網を介さずとも前記通信装置と通信することが可能な一又は複数の電話装置とを用いた電話通信方法であって、前記通信装置は、電話通信網を介さずに無線による通信接続を確立した電話装置から、該電話装置を識別する識別情報を取得し、電力を供給し、かつ通信が可能な接続部に接続された電話装置から、該電話装置を識別する識別情報を取得し、それぞれ取得した識別情報に基づいて、電話通信網に接続させる発呼処理を実行する電話装置の候補を出力し、電話装置に発呼処理を実行させる発呼命令を、候補のうちから選択された電話装置へ送信することを特徴とする。
【発明の効果】
【００１５】
本発明に係る通信装置、電話通信システム及び電話通信方法は、通信装置が、電話通信網を介さずに無線による通信接続が可能な第１の接続部から取得した電話装置の識別情報と、接続された電話装置に電力を供給し、かつ接続された電話装置と通信が可能な第２の接続部から取得した識別情報とに基づいて、発呼処理を実行する電話装置の候補を出力する。本発明では、このように発呼命令の送信先の候補として、接続状況に基づく出力を行うことにより、候補のうちからユーザが最適な選択を行うことを支援する通信装置、電話通信システム及び電話通信方法を提供することが可能である等、優れた効果を奏する。例えば、ユーザが、第２の接続部に接続されている電話装置を避けた場合には、充電中の電話装置に発呼処理をさせることによる充電効率の低下を防止することが可能である等、優れた効果を奏する。
【図面の簡単な説明】
【００１６】
【図１】本発明の実施の形態１に係る電話通信システムの構成例を概念的に示す説明図である。
【図２】本発明の実施の形態１に係る電話通信システムにて用いられる通信装置の構成例を示すブロック図である。
【図３】本発明の実施の形態１に係る電話通信システムにて用いられる電話装置の構成例を示すブロック図である。
【図４】本発明の実施の形態１に係る通信装置の識別情報登録処理の一例を示すフローチャートである。
【図５】本発明の実施の形態１に係る通信装置が備える表示部に表示される画像例を示す説明図である。
【図６】本発明の実施の形態１に係る通信装置の接続部接続処理の一例を示すフローチャートである。
【図７】本発明の実施の形態１に係る通信装置の選択発呼処理の一例を示すフローチャートである。
【図８】本発明の実施の形態１に係る通信装置の登録接続状態リスト生成処理の一例を示すフローチャートである。
【図９】本発明の実施の形態１に係る通信装置の登録接続状態リスト表示処理の一例を示すフローチャートである。
【図１０】本発明の実施の形態１に係る通信装置が備える表示部に表示される画像例を示す説明図である。
【図１１】本発明の実施の形態１に係る通信装置の登録接続状態リスト表示処理の他の例を示すフローチャートである。
【図１２】本発明の実施の形態１に係る通信装置が備える表示部に表示される画像例を示す説明図である。
【図１３】本発明の実施の形態１に係る通信装置の発呼命令送信処理の一例を示すフローチャートである。
【図１４】本発明の実施の形態２に係る通信装置の登録接続状態リスト表示処理の一例を示すフローチャートである。
【図１５】本発明の実施の形態２に係る通信装置の登録接続状態リスト表示処理の他の例を示すフローチャートである。
【発明を実施するための形態】
【００１７】
以下、本発明の実施の形態について図面を参照しながら説明する。なお、以下の実施の形態は、本発明を具現化した一例であって、本発明の技術的範囲を限定する性格のものではない。
（実施の形態１）
図１は、本発明の実施の形態１に係る電話通信システムの構成例を概念的に示す説明図である。本発明に係る電話通信システムでは、電話通信網ＴＮに接続して電話通信が可能な電話機等の通信装置１と、無線により電話通信網ＴＮに接続して電話通信が可能な複数の携帯型電話機等の電話装置２，２，…が用いられる。
【００１８】
通信装置１及び電話装置２，２，…は、ブルートゥース（Bluetooth ；登録商標）等の近距離通信機能を備えており、それぞれ電話通信網ＴＮを介さずとも通信することが可能である。そして、通信装置１は、通信接続を確立した電話装置２に対し、ユーザの操作に基づいて、電話通信網ＴＮに接続させる発呼命令を送信することにより、電話装置２に発呼処理を実行させることができる。電話装置２が発呼処理を実行することにより、電話装置２は、電話通信網ＴＮに接続し、通信装置１を操作するユーザは、電話装置２を介しての電話通信が可能となる。
【００１９】
また、通信装置１は、ＵＳＢ（Universal Serial Bus）等の接続規格に基づくホスト装置としての機能を有しており、ＵＳＢ規格に準拠した接続線で、通信装置１に、周辺機器として電話装置２を接続することができる。通信装置１と電話装置２とをＵＳＢ規格に準拠した接続線にて接続することより、通信装置１は、接続先の電話装置２と通信可能になるだけでなく、接続先の電話装置２へ電力を供給することも可能となる。即ち、通信装置１は、電話装置２に対して充電することができる。
【００２０】
図２は、本発明の実施の形態１に係る電話通信システムにて用いられる通信装置１の構成例を示すブロック図である。通信装置１は、装置全体の制御に要する機構、電話通信に要する機構、電話装置２，２，…との接続に要する機構、ユーザに対するマンマシンインターフェースとなる機構等の様々な機構を備えている。
【００２１】
装置全体の制御に要する機構としては、制御部１００、記録部１０１、充電回路１０２等の機構がある。
【００２２】
制御部１００は、情報処理回路、計時回路、レジスタ回路等の各種回路を備え、装置内の各部を制御する処理を実行するＣＰＵ（Central Processing Unit ）等の機構である。
【００２３】
記録部１０１は、フラッシュメモリ（Flash Memory）等の不揮発性記録機構、及び各種ＲＡＭ（Random Access Memory）等の揮発性記録機構を用いて構成される機構であり、各種プログラム及びデータ等の情報が記録されている。記録部１０１の記録領域の一部は、電話装置２を識別する識別情報を記録する領域、後述する電話装置２の登録及び接続状態を記録する登録接続状態リストを記録する領域等の論理領域として用いられている。
【００２４】
充電回路１０２は、家庭用交流電源に接続し、所定の電圧の直流電力に変換し、制御部１００への電力の供給及び蓄電を行う機構である。
【００２５】
電話通信に要する機構としては、回線部１１０、着呼検出部１１１、ＤＴＭＦ信号検出部１１２、ＤＴＭＦ信号発生部１１３、送受話器１１４等の機構がある。
【００２６】
回線部１１０は、電話通信網ＴＮに接続するインターフェースとなる機構である。
【００２７】
着呼検出部１１１は、電話通信網ＴＮを介して受信する着呼信号を検出する機構であり、検出した着呼信号に基づいて各種着信処理を実行すべく、制御部１００へ出力する。
【００２８】
ＤＴＭＦ信号検出部１１２は、ＤＴＭＦ（Dual-Tone Multi-Frequency ）信号として受信する各種命令を検出し、検出したＤＴＭＦ信号を解読し、制御部１００へ出力する機構である。
【００２９】
ＤＴＭＦ信号発生部１１３は、ユーザからの操作に基づいて制御部１００から入力される電話番号、各種命令等の情報に基づいてＤＴＭＦ信号を発生させる機構であり、発生させたＤＴＭＦ信号は、回線部１１０を介して電話通信網ＴＮへ送信される。
【００３０】
送受話器１１４は、電話通信網ＴＮから受信した音声信号を音声として出力するスピーカと、ユーザの発声を受音し、音声信号に変換するマイクとを備える機構であり、変換された音声信号は、回線部１１０を介して電話通信網ＴＮ上へ送信される。
【００３１】
通信装置１と電話装置２との接続に要する機構としては、近距離通信部（第１の接続部）１２０、接続部（第２の接続部）１２１等の機構がある。
【００３２】
近距離通信部１２０は、ブルートゥース等の近距離通信機能により近傍に位置する電話装置２，２，…を探索し、無線による通信接続を確立して、各種情報及び命令を送受信する制御機構及びアンテナを備える機構である。
【００３３】
接続部１２１は、ＵＳＢ等の接続規格に基づき周辺機器として接続された電話装置２，２，…に対して電力を供給し、かつ電話装置２，２，…と通信を実行する制御機構及びインターフェースを備える機構である。
【００３４】
ユーザに対するマンマシンインターフェースとなる機構としては、表示部１３０、キー操作部１３１、スピーカ１３２等の機構がある。
【００３５】
表示部１３０は、画像を表示する液晶パネル、有機ＥＬパネル、プラズマパネル等の表示用部品を用いて構成される出力機構である。
【００３６】
キー操作部１３１は、ユーザの操作による入力を受け付ける各種機能キーその他の入力手段を用いた入力機構である。
【００３７】
スピーカ１３２は、音信号に基づいて音声を含む各種音を出力する出力機構である。
【００３８】
図３は、本発明の実施の形態１に係る電話通信システムにて用いられる電話装置２の構成例を示すブロック図である。電話装置２は、装置全体の制御に要する機構、電話通信に要する機構、通信装置１との接続に要する機構、ユーザに対するマンマシンインターフェースとなる機構等の様々な機構を備えている。
【００３９】
装置全体の制御に要する機構とは、制御部２００、記録部２０１、充電回路２０２、電池２０３等の機構がある。
【００４０】
制御部２００は、装置内の各部を制御する処理を実行する機構である。記録部２０１は、不揮発性記録機構及び揮発性記録機構を用いて構成される機構である。
【００４１】
充電回路２０２は、制御部２００及び電池２０３へ電力を供給する機構である。
【００４２】
電池２０３は、リチウムイオン電池等の蓄電及び充電が可能な二次電池を用いた機構である。
【００４３】
電話通信に要する機構としては、アンテナを介して電話通信網ＴＮに無線接続し、通信接続を確立する無線回線通信部２１０及び通信制御部２１１を備えている。
【００４４】
通信装置１との接続に要する機構としては、近距離通信部２２０及び接続部２２１を備えている。接続部２２１は、通信装置１との通信だけでなく、ＵＳＢ等の接続規格に基づき周辺機器として通信装置１に接続することで、通信装置１からの給電を受け、充電回路２０２を介して電池２０３へ電力を供給する機能を有する。
【００４５】
ユーザに対するマンマシンインターフェースとなる機構としては、表示部２３０、操作部２３１、スピーカを備える音声復号部２３２、マイクを備える音声符号化部２３３等の機構がある。
【００４６】
表示部２３０は、画像を表示する液晶パネル、有機ＥＬパネル、プラズマパネル等の表示用部品を用いて構成される出力機構である。操作部２３１は、赤外線を用いた接触センサ、感圧センサ、静電容量センサ等の各種センサを用いて構成される入力機構であり、例えば、ユーザの指が接触した場合に、その接触位置を入力位置として検出する。なお、便宜上、表示部２３０及び操作部２３１として、それぞれ個別に示しているが、液晶タッチパネル等の入出力機構として構成しても良い。具体的には、矩形薄膜状の液晶パネル等の表示部２３０と、矩形薄膜状のタッチパネル等の操作部２３１とを重畳した入出力機構として形成することができる。なお、ここでは、携帯型電話機等の電話装置２として、キー操作部を有していない所謂スマートフォンを用いた構成について説明したが、操作部として、１０キー、各種機能キー等のキー操作部を有していても良い。
【００４７】
音声復号部２３２は、音声信号を復号してスピーカから音声を出力する機構である。音声符号化部２３３は、マイクから音声を受音して音声信号に符号化する機構である。
【００４８】
次に本発明に係る電話通信システムにて用いられる通信装置１の処理について説明する。図４は、本発明の実施の形態１に係る通信装置１の識別情報登録処理の一例を示すフローチャートである。通信装置１の制御部１００は、近距離通信部１２０にて近距離通信接続が可能な装置を探索（スキャン）する（Ｓ１０１）。ステップＳ１０１では、数ｍ〜数１０ｍ程度の近距離の範囲で近距離通信接続が可能な装置の有無を探索する。
【００４９】
ステップＳ１０１の探索により一又は複数の電話装置２，２，…を検出した場合、制御部１００は、検出した電話装置２，２，…と無線による近距離通信の接続を確立する（Ｓ１０２）。ここでは、本発明の電話通信システムに係る電話装置２，２，…が検出されたものとして以降の説明を行うが、電話装置２，２，…以外の装置が検出される場合もある。また、近距離通信の接続が可能な装置が検出されない場合、以降の処理は実行されない。
【００５０】
制御部１００は、無線による近距離通信の接続を確立した電話装置２，２，…から、それぞれの電話装置２を識別する識別情報を近距離通信部１２０にて取得する（Ｓ１０３）。電話装置２を識別する識別情報とは、通信に際し、電話装置２を識別するためのデバイス名等の情報である。
【００５１】
制御部１００は、取得した識別情報を近距離通信の通信先として登録、即ち記録部１０１に記録する（Ｓ１０４）。通信装置１は、登録した識別情報にて識別される電話装置２と、近距離通信として情報を無線で送受信する通信が可能となる。
【００５２】
図５は、本発明の実施の形態１に係る通信装置１が備える表示部１３０に表示される画像例を示す説明図である。図５は、識別情報登録処理を実施する際に、通信装置１の表示部１３０に表示される画像の例を示している。
【００５３】
通信装置１は、図５に示すように、電話装置２を近傍に載置することを指示するメッセージを表示部１３０に表示し、ユーザに対して処理の実行を指示する「ＯＫ」と表示された画像を表示する。ユーザが、当該画像を指示する入力をすることにより、通信装置１は、識別情報登録処理を開始する。また、通信装置１は、電話装置２から識別情報を取得した際も、取得した識別情報を表示部１３０に表示し、登録の可否の指示を要求する。このようにして通信装置１は、識別情報登録処理を実行する。
【００５４】
図６は、本発明の実施の形態１に係る通信装置１の接続部接続処理の一例を示すフローチャートである。通信装置１の制御部１００は、接続部１２１に、電話装置２と接続する接続線が接続されたことを検出する（Ｓ２０１）。
【００５５】
接続されたことを検出した制御部１００は、接続部１２１に接続された電話装置２から、接続部１２１を介して識別情報を取得し（Ｓ２０２）、取得した識別情報を記録部１０１に記録する（Ｓ２０３）。
【００５６】
さらに、制御部１００は、接続部１２１にて取得した識別情報が、近距離通信接続で登録済みか否かを判別する（Ｓ２０４）。
【００５７】
ステップＳ２０４にて、未登録と判別した場合（Ｓ２０４：ＮＯ）、制御部１００は、取得した識別情報を近距離通信の通信先として登録、即ち記録部１０１に記録する（Ｓ２０５）。
【００５８】
ステップＳ２０４にて、登録済みと判別した場合（Ｓ２０４：ＹＥＳ）、ステップＳ２０５の処理を実行せず、接続部接続処理を終了する。
【００５９】
ここでは、接続部接続処理として、接続部１２１に接続された電話装置２に対し、ステップＳ２０４〜Ｓ２０５に示す近距離通信の通信先としても登録する形態を示したが、必ずしもステップＳ２０４〜Ｓ２０５の処理を実行する必要は無い。即ち、ステップＳ２０１〜Ｓ２０３に示した接続部１２１に接続された電話装置２の識別情報の取得及び記録のみで終了するように設定しても良い。例えば、来客者が所有している電話装置２に対して充電を行う場合、近距離通信の登録を行う必要は無いからである。このようにして通信装置１は、接続部接続処理を実行する。
【００６０】
図７は、本発明の実施の形態１に係る通信装置１の選択発呼処理の一例を示すフローチャートである。選択発呼処理は、通信装置１を用いて、ユーザが指定した電話装置２に発呼を実行させる処理である。
【００６１】
通信装置１の制御部１００は、各電話装置２，２，…についての近距離通信の登録状態及び接続部１２１との接続状態を記録した登録接続状態リストを生成する処理を実行する（Ｓ３０１）。ステップＳ３０１の登録接続状態リスト生成処理の詳細については後述する。
【００６２】
制御部１００は、生成した登録接続状態リストを表示部１３０に表示する処理を実行する（Ｓ３０２）。ステップＳ３０２では、登録接続状態リストを、発呼を実行させる電話装置２，２，…の候補として、表示部１３０に表示する。なお、ここでは、ユーザに候補を提示するための出力形態の一つとして、表示を示しているが、音声としての出力、予め電話装置２，２，…にそれぞれ対応付けたキーの点灯等の様々な出力形態に展開することも可能である。ステップＳ３０２の登録接続状態リストの表示処理の詳細については後述する。
【００６３】
制御部１００は、発呼命令の送信先を選択する入力をキー操作部１３１から受け付ける（Ｓ３０３）。ステップＳ３０３では、ステップＳ３０２にて登録接続状態リストとして提示した発呼処理を実行する電話装置２，２，…の候補のうちから、一の電話装置２を選択する入力をユーザの操作により受け付ける。
【００６４】
制御部１００は、電話装置２に発呼処理を実行させる発呼命令を、候補のうちから選択された電話装置２へ近距離通信部２２０から送信する（Ｓ３０４）。発呼命令には発呼先の電話番号等の情報が含まれており、発呼命令を受信した電話装置２は、受信した発呼命令に従って、発呼処理を実行し、発呼先となる装置との電話通信を確立する。電話装置２が発呼先の装置と電話通信を確立後、ユーザは、通信装置１の送受話器１１４を用い、電話装置２を介して、発呼先の装置と電話通信を行うことが可能となる。ステップＳ３０４の発呼命令送信処理の詳細については後述する。このようにして通信装置１は、選択発呼処理を実行する。
【００６５】
図８は、本発明の実施の形態１に係る通信装置１の登録接続状態リスト生成処理の一例を示すフローチャートである。登録接続状態リスト生成処理は、図７を用いて説明した通信装置１の選択発呼処理において、ステップＳ３０１として示した処理である。
【００６６】
通信装置１の制御部１００は、近距離通信に係る電話装置２の識別情報を記録部１０１から抽出する（Ｓ４０１）。ステップＳ４０１は、識別情報登録処理にて登録した識別情報を記録部１０１から抽出する処理であり、以前に通信接続を確立したことがある電話装置２を特定するための処理である。
【００６７】
制御部１００は、接続部１２１に接続中の電話装置２の識別情報を記録部１０１から抽出する（Ｓ４０２）。ステップＳ４０２は、接続部接続処理にて記録した識別情報を記録部１０１から抽出する処理であり、接続部１２１に接続されている電話装置２を特定するための処理である。
【００６８】
制御部１００は、識別情報毎に登録状況及び接続状況を判別する（Ｓ４０３）。ステップＳ４０３では、ステップＳ４０１及びＳ４０２の抽出結果に基づいて、抽出した識別情報に係る電話装置２毎に、近距離通信に係る識別情報として登録されていたか否か、また接続部１２１に接続中であるか否かを判別する処理である。
【００６９】
制御部１００は、判別結果に基づいて、抽出した一の識別情報が近距離通信に係る識別情報として登録済みであるか否かを判別する（Ｓ４０４）。
【００７０】
ステップＳ４０４において、登録済みであると判別した場合（Ｓ４０４：ＹＥＳ）、制御部１００は、当該一の識別情報に係る電話装置２が、接続部１２１に接続中であるか否かを判別する（Ｓ４０５）。
【００７１】
ステップＳ４０５において、接続部１２１に接続中であると判別した場合（Ｓ４０５：ＹＥＳ）、制御部１００は、当該一の識別情報に係る電話装置２を、「近距離通信登録済み・接続部接続中」を示すリストに分類する（Ｓ４０６）。「近距離通信登録済み・接続部接続中」リストとは、近距離通信について登録済みであり、かつ接続部１２１に接続中であると判別された電話装置２に係る識別情報を登録するリストである。識別情報の登録状況と接続状況とを判別した結果、近距離通信について登録済みであり、かつ接続部１２１に接続中であると判別された識別情報は、「近距離通信登録済み・接続部接続中」リストに分類される。
【００７２】
ステップＳ４０５において、接続部１２１に接続中ではないと判別した場合（Ｓ４０５：ＮＯ）、制御部１００は、当該一の識別情報に係る電話装置２を、「近距離通信登録済み・接続部未接続」を示すリストに分類する（Ｓ４０７）。「近距離通信登録済み・接続部未接続」リストとは、近距離通信について登録済みであり、かつ接続部１２１に接続していないと判別された電話装置２に係る識別情報を登録するリストである。識別情報の登録状況と接続状況とを判別した結果、近距離通信については登録済みであり、かつ接続部１２１に接続していないと判別された識別情報は、「近距離通信登録済み・接続部未接続」リストに分類される。
【００７３】
ステップＳ４０４において、近距離通信に係る識別情報として登録されていないと判別した場合（Ｓ４０４：ＮＯ）、制御部１００は、当該一の識別情報に係る電話装置２を、「近距離通信未登録・接続部接続中」を示すリストに分類する（Ｓ４０８）。「近距離通信未登録・接続部接続中」リストとは、近距離通信について登録されていないが、接続部１２１に接続中であると判別された電話装置２に係る識別情報を登録するリストである。識別情報の登録状況と接続状況とを比較した結果、近距離通信について未登録であると判別された識別情報は、「近距離通信未登録・接続部接続中」リストに分類される。なお、近距離通信に未登録であり、かつ接続部１２１に接続していない場合、制御部１００は、識別情報を取得することはないため、近距離通信が未登録であれば、接続部１２１に接続されているか否かを判別する処理を省略することができる。
【００７４】
ステップＳ４０６、Ｓ４０７又はＳ４０８にて、一の識別情報をリストに分類後、制御部１００は、全ての識別情報に対してリストへの分類を行ったか否かを判別する（Ｓ４０９）。
【００７５】
ステップＳ４０９において、未分類の識別情報が存在すると判別した場合（Ｓ４０９：ＮＯ）、未分類の識別情報に対して、ステップＳ４０３以降の処理を繰り返す。
【００７６】
ステップＳ４０９において、全ての識別情報に対してリストへの分類を行ったと判別した場合（Ｓ４０９：ＹＥＳ）、制御部１００は、それぞれのリストを統合した登録接続状態リストを生成し、生成した登録接続状態リストを記録部１０１に記録する（Ｓ４１０）。登録接続状態リストは、電話装置２，２，…毎の登録状態及び接続状態を示すリストであり、発呼処理を実行させる電話装置２の候補を示す候補リストである。このようにして通信装置１は、登録接続状態リスト生成処理を実行する。
【００７７】
図９は、本発明の実施の形態１に係る通信装置１の登録接続状態リスト表示処理の一例を示すフローチャートである。登録接続状態リスト表示処理は、図７を用いて説明した通信装置１の選択発呼処理において、ステップＳ３０２として示した処理である。
【００７８】
通信装置１の制御部１００は、登録接続状態リストに含まれるリストのうちで、「近距離通信登録済み・接続部未接続」を示すリストに分類された識別情報を、表示部１３０に表示する（Ｓ５０１）。ステップＳ５０１では、近距離通信部１２０との通信接続を確立したとして登録されており、かつ接続部１２１に接続中である電話装置２に係る識別情報は除外される。即ち、近距離通信部１２０及び接続部１２１の両方に接続されている電話装置２，２，…を除外して、発呼処理を実行する電話装置２，２，…の候補を出力する。
【００７９】
接続部１２１に接続されている電話装置２を除外する理由は、接続部１２１に接続中の電話装置２が、充電中であると考えられるからである。充電中の電話装置２が発呼を行った場合、電話装置２は、充電効率が低下し、充電に要する時間が長くなる。本発明では、接続部１２１に接続中の電話装置２を発呼処理の候補から除外することにより、充電の妨げとなる発呼処理が行われるのを防止し、効率的な充電が可能となる。なお、近距離通信の登録がなされていない電話装置２は、発呼処理のための発呼命令の送信先にならないため、候補から除外される。
【００８０】
図１０は、本発明の実施の形態１に係る通信装置１が備える表示部１３０に表示される画像例を示す説明図である。図１０は、登録接続状態リスト表示処理において表示部１３０に表示される識別情報を示している。図１０に示すように、発呼処理を実行させる候補となる電話装置２，２，…の識別情報が通信装置１の表示部１３０に表示されている。表示されている識別情報は、近距離通信が登録済みであり、かつ接続部１２１に接続されていない電話装置２，２，…を示す識別情報である。
【００８１】
なお、図１０は、識別情報そのものを表示するのではなく、識別情報に対応付けて記録されている「父」、「兄」等の使用者の名称を示す名称情報、及び「０９０１１１…」、「０９０３３３…」等の電話番号を示す情報が表示されている。識別情報の登録に際し、このような名称情報を設定することが可能であり、また、電話装置２から取得した電話番号を識別情報に対応付けて記録しておくことが可能である。このようにして通信装置１は、登録接続状態リスト表示処理を実行する。
【００８２】
図１１は、本発明の実施の形態１に係る通信装置１の登録接続状態リスト表示処理の他の例を示すフローチャートである。図１１に示す登録接続状態リスト表示処理は、図７を用いて説明した通信装置１の選択発呼処理において、ステップＳ３０２として示した処理であり、図９を用いて示した登録接続状態リスト表示処理の他の例である。
【００８３】
通信装置１の制御部１００は、登録接続状態リストに含まれるリストのうちで、「近距離通信登録済み・接続部未接続」を示すリストに分類された識別情報を、表示部１３０に表示する（Ｓ６０１）。
【００８４】
制御部１００は、登録接続状態リストに含まれるリストのうちで、「近距離通信登録済み・接続部接続中」を示すリストに分類された識別情報を、表示部１３０に表示する（Ｓ６０２）。
【００８５】
制御部１００は、登録接続状態リストに含まれるリストのうちで、「近距離通信未登録・接続部接続中」を示すリストに分類された識別情報を、表示部１３０に表示する（Ｓ６０３）。
【００８６】
ステップＳ６０１〜Ｓ６０３に示すように、登録接続状態リスト表示処理の他の例では、全てのリストに分類された識別情報を表示部１３０に表示する。なお、表示に際しては、電話装置２の候補がどのような登録／接続状態にあるのかが明確になるように表示される。
【００８７】
図１２は、本発明の実施の形態１に係る通信装置１が備える表示部１３０に表示される画像例を示す説明図である。図１２は、登録接続状態リスト表示処理の他の例において、表示部１３０に表示される識別情報を示している。図１２に示すように、発呼処理を実行させる候補となる電話装置２，２，…の識別情報が通信装置１の表示部１３０に表示されている。全てのリストに分類された識別情報が表示されており、しかも登録／接続状態を示す記号に対応付けて表示されている。
【００８８】
具体的には、「○」が「近距離通信登録済み・接続部未接続」を示すリストに分類された識別情報であり、発呼処理の候補として好ましい電話装置２，２，…を示している。「△」が、「近距離通信登録済み・接続部接続中」を示すリストに分類された識別情報であり、発呼処理を実行させることは可能であるが、充電中であると考えられるため、選択することは好ましくない電話装置２，２，…を示している。「×」が、「近距離通信未登録・接続部接続中」を示すリストに分類された識別情報であり、近距離通信の接続を確立することはできないため、発呼処理を実行させることができない電話装置２，２，…を示している。例えば、来客者が所有している電話装置２を充電している場合、当該電話装置２は近距離通信に係る電話装置２として登録されていないことから、発呼処理を実行させることはできない。
【００８９】
また、「○：Bluetooth 登録済み／ＵＳＢ未接続」、「△：Bluetooth 登録済み／ＵＳＢ接続中（充電中）」、「×：Bluetooth 未登録／ＵＳＢ接続中（充電中）」等の文言を含めて登録接続状態を表示するようにしても良い。このように登録接続状態リスト表示処理の他の例では、電話装置２，２，…の候補を、近距離通信部１２０又は接続部１２１に対応付けて表示することができる。
【００９０】
さらに、文言にて表示する場合に、「○：発呼可能」、「△：充電中（発呼可能）」、「×：充電中（発呼不可）」等のように簡略化して表示することも可能である。さらには、充電状況も含めて「充電中：８０％」、「充電中：残り約７分」等の表示とすることも可能であり、その場合、充電中であっても、９０％以上等の所定値を超える場合は、発呼処理を実行させることが可能となるようにしても良い。このようにして通信装置１は、登録接続状態リスト表示処理を実行する。
【００９１】
以上の２例で示したように、通信装置１は、登録接続状態リスト表示処理として、電話装置２，２，…の接続状況に応じた出力方法で、候補としての各電話装置２，２，…を表示（出力）する。
【００９２】
図１３は、本発明の実施の形態１に係る通信装置１の発呼命令送信処理の一例を示すフローチャートである。発呼命令送信処理は、図７を用いて説明した通信装置１の選択発呼処理において、ステップS３０４として示した処理である。なお、ここでは、図１２に示した画面例から、ユーザが選択した候補である電話装置２に対して発呼命令を送信する処理について説明する。
【００９３】
候補のうちからユーザの選択を受け付けた通信装置１の制御部１００は、選択された候補である電話装置２が、近距離通信未登録であり、かつ接続部１２１に接続中であるか否かを判別する（Ｓ７０１）。ステップＳ７０１では、図１２で「×」の記号に対応付けて示した近距離通信の通信接続が確立されていない電話装置２が選択されたか否かを判別する処理である。
【００９４】
ステップＳ７０１において、選択された候補が、近距離通信に係る電話装置２として識別情報が登録されていると判別した場合（Ｓ７０１：ＮＯ）、制御部１００は、選択された電話装置２へ発呼命令を近距離通信部２２０から送信する（Ｓ７０２）。
【００９５】
ステップＳ７０１において、選択された候補が、近距離通信に係る電話装置２として未登録であると判別した場合（Ｓ７０２：ＹＥＳ）、制御部１００は、識別情報を近距離通信の通信先として登録、即ち記録部１０１に記録する（Ｓ７０３）。識別情報を登録することにより、近距離通信が可能となるので、登録後、通信装置１は、ステップＳ７０２へ進み、発呼命令を送信する。
【００９６】
このように発呼命令送信処理においては、選択された電話装置２の状態に応じてそれぞれの処理が実行される。なお、近距離通信に未登録の電話装置２に係る識別情報を表示しない場合、又は表示しても発呼の対象から除外する場合、通信装置１は、ステップＳ７０１及びＳ７０３の処理を行わずに、発呼命令を送信する。このようにして通信装置１は、発呼命令送信処理を実行する。
【００９７】
以上詳述したように、本発明に係る通信装置１は、近距離通信の登録状態及び接続部１２１への接続状態に応じて出力方法を変更する。これにより、ユーザは、登録状態及び接続状態を確認し、候補のうちから発呼命令の送信先として最適な選択を行うことが可能となる。
（実施の形態２）
実施の形態２は、実施の形態１において、近距離通信の登録状態だけで無く、近距離通信の接続の可否をも判別する形態である。実施の形態１では、近距離通信については登録されているか否かしか判別していないが、登録されていても近距離通信の接続を確立することができない場合がある。例えば電話装置の所持者が外出している場合である。このように電話装置が通信装置から遠方にあり、近距離通信の接続を確立することができない場合、登録済みであっても、発呼命令の送信先とすることはできない。実施の形態２では、このような状況を考慮した形態について説明する。なお、以降の説明において、実施の形態１と同様の構成については、実施の形態１と同様の符号を付し、実施の形態１を参照するものとし、その説明を省略する。また、実施の形態２において、登録接続状態リスト生成処理以外の処理は、実施の形態１と同様であるので、実施の形態１を参照するものとし、その説明を省略する。
【００９８】
図１４は、本発明の実施の形態２に係る通信装置１の登録接続状態リスト表示処理の一例を示すフローチャートである。図１４に示す登録接続状態リスト表示処理は、実施の形態１で図７を用いて説明した通信装置１の選択発呼処理において、ステップＳ３０２として示した処理であり、実施の形態１で図９を用いて示した登録接続状態リスト表示処理の実施の形態２における例である。
【００９９】
通信装置１の制御部１００は、登録接続状態リストに含まれるリストのうちで、「近距離通信登録済み・接続部未接続」を示すリストに分類された識別情報のうちから、一の識別情報を取得する（Ｓ８０１）。
【０１００】
制御部１００は、取得した一の識別情報に係る電話装置２が近距離通信接続中であるか否かを判別する（Ｓ８０２）。ステップＳ８０２における判別は、例えば、近距離通信部１２０により、当該電話装置２との通信状況を確認することで実行可能である。
【０１０１】
ステップＳ８０２において、近距離通信接続中であると判別した場合（Ｓ８０２：ＹＥＳ）、制御部１００は、取得した一の識別情報を、近距離通信登録済みであり、かつ接続部１２１に接続されていない電話装置２として、表示部１３０に表示する（Ｓ８０３）。
【０１０２】
ステップＳ８０２において、近距離通信としての通信接続が確立されていないと判別した場合（Ｓ８０２：ＮＯ）、ステップＳ８０３の処理は実行されない。即ち、通信装置１は、近距離通信接続中の電話装置２に係る識別情報を表示し、接続していない電話装置２に係る識別情報は表示しない。
【０１０３】
そして、制御部１００は、「近距離通信登録済み・接続部未接続」を示すリストに分類された全ての識別情報に対して近距離通信に係る接続状態の判別を行ったか否かを判別する（Ｓ８０４）。
【０１０４】
ステップＳ８０４において、未判別の識別情報が存在すると判別した場合（Ｓ８０４；ＮＯ）、未判別の識別情報に対して、ステップＳ８０１以降の処理を繰り返す。
【０１０５】
ステップＳ８０４において、全ての識別情報に対して近距離通信に係る接続状態の判別を行ったと判別した場合（Ｓ８０４：ＹＥＳ）、登録接続状態リスト表示処理を終了する。このようにして通信装置１は、他の実施形態における登録接続状態リスト表示処理を実行する。
【０１０６】
図１５は、本発明の実施の形態２に係る通信装置１の登録接続状態リスト表示処理の他の例を示すフローチャートである。図１５に示す登録接続状態リスト表示処理は、実施の形態１で図７を用いて説明した通信装置１の選択発呼処理において、ステップＳ３０２として示した処理であり、図１４を用いて説明した登録接続状態リスト表示処理の他の例である。
【０１０７】
通信装置１の制御部１００は、登録接続状態リストに含まれるリストのうちで、「近距離通信登録済み・接続部未接続」を示すリストに分類された識別情報のうちから、一の識別情報を取得する（Ｓ９０１）。
【０１０８】
制御部１００は、取得した一の識別情報に係る電話装置２が近距離通信接続中であるか否かを判別する（Ｓ９０２）。
【０１０９】
ステップＳ９０２において、近距離通信接続中であると判別した場合（Ｓ９０２：ＹＥＳ）、制御部１００は、取得した一の識別情報を、近距離通信登録済みであり、かつ接続部１２１に接続されていない電話装置２として、表示部１３０に表示する（Ｓ９０３）。
【０１１０】
ステップＳ８０２において、近距離通信としての通信接続が確立されていないと判別した場合（Ｓ８０２：ＮＯ）、制御部１００は、取得した一の識別情報を、近距離通信未接続の電話装置２に係る識別情報として記録部１０１に記録する（Ｓ９０４）。
【０１１１】
そして、制御部１００は、「近距離通信登録済み・接続部未接続」を示すリストに分類された全ての識別情報に対して近距離通信に係る接続状態の判別を行ったか否かを判別する（Ｓ９０５）。
【０１１２】
ステップＳ９０５において、未判別の識別情報が存在すると判別した場合（Ｓ９０５；ＮＯ）、未判別の識別情報に対して、ステップＳ９０１以降の処理を繰り返す。
【０１１３】
ステップＳ９０４において、全ての識別情報に対して近距離通信に係る接続状態の判別を行ったと判別した場合（Ｓ９０４：ＹＥＳ）、制御部１００は、「近距離通信登録済み・接続部未接続」を示すリストに対する処理を終了する。
【０１１４】
そして、制御部１００は、登録接続状態リストに含まれるリストのうちで、「近距離通信登録済み・接続部接続中」を示すリストに分類された識別情報のうちから、一の識別情報を取得する（Ｓ９０６）。
【０１１５】
制御部１００は、取得した一の識別情報に係る電話装置２が近距離通信接続中であるか否かを判別する（Ｓ９０７）。
【０１１６】
ステップＳ９０７において、近距離通信接続中であると判別した場合（Ｓ９０７：ＹＥＳ）、制御部１００は、取得した一の識別情報を、近距離通信登録済みであり、かつ接続部１２１に接続されていない電話装置２として、表示部１３０に表示する（Ｓ９０８）。
【０１１７】
ステップＳ９０７において、近距離通信としての通信接続が確立されていないと判別した場合（Ｓ９０７：ＮＯ）、制御部１００は、取得した一の識別情報を、近距離通信未接続の電話装置２に係る識別情報として記録部１０１に記録する（Ｓ９０９）。
【０１１８】
そして、制御部１００は、「近距離通信登録済み・接続部接続中」を示すリストに分類された全ての識別情報に対して近距離通信に係る接続状態の判別を行ったか否かを判別する（Ｓ９１０）。
【０１１９】
ステップＳ９１０において、未判別の識別情報が存在すると判別した場合（Ｓ９１０：ＮＯ）、未判別の識別情報に対して、ステップＳ９０６以降の処理を繰り返す。
【０１２０】
ステップＳ９１０において、全ての識別情報に対して近距離通信に係る接続状態の判別を行ったと判別した場合（Ｓ９１０：ＹＥＳ）、制御部１００は、「近距離通信登録済み・接続部接続中」を示すリストに対する処理を終了する。
【０１２１】
そして、制御部１００は、登録接続状態リストに含まれるリストのうちで、「近距離通信未登録・接続部接続中」を示すリストに分類された識別情報を、表示部１３０に表示する（Ｓ９１１）。近距離通信について未登録である場合、通信接続が確立されていることは無いため、近距離通信の接続状況についての判別は行われない。
【０１２２】
そして、制御部１００は、ステップＳ９０４又はステップＳ９０９にて記録部１０１に記録した近距離通信が未接続である電話装置２，２，…に係る識別情報を、記録部１０１から抽出し、表示部１３０に表示する（Ｓ９１２）。
【０１２３】
ステップＳ９０３、Ｓ９０８、Ｓ９１１及びＳ９１２に示すように、他の実施の形態における登録接続状態リスト表示処理の他の例では、全てのリストに分類された識別情報を表示部１３０に表示し、かつ近距離通信が未接続である電話装置２，２，…に係る識別情報を別途表示する。
【０１２４】
また、識別情報の表示に際しては、電話装置２の候補がどのような登録／接続状態にあるのかが明確になるように表示される。例えば、登録接続状態を示す「○」、「△」、「×」等の記号に対応付けて表示される。また、「○：Bluetooth 登録済み／ＵＳＢ未接続」、「△：Bluetooth 登録済み／ＵＳＢ接続中（充電中）」、「×：Bluetooth 未登録／ＵＳＢ接続中（充電中）」、「×：Bluetooth 登録済み／外出中」等の登録接続状態を具体的に表示するようにしても良い。
【０１２５】
以上、本発明に係る通信装置１、電話通信システム及び電話通信方法では、通信装置１が、ブルートゥース等の近距離通信が可能な近距離通信部１２０に対する登録状態及びＵＳＢ等の接続規格に基づく接続部１２１への接続状態に対応付けて電話装置２，２，…を表示する。これにより、ユーザは、電話装置２に対して発呼処理を実行させる場合、充電中ではない電話装置２を選択することができる等、様々な方法でのシステムの利用を行うことが可能である。例えば、充電中である電話装置２を発呼の対象から除外させることにより、効率的な充電を可能とする等の効果が得られる。
【０１２６】
前記実施の形態１及び２は、本発明の無数に存在する実施例の一部を開示したに過ぎず、目的、用途、仕様、設定等の様々な要因を加味して適宜設計することが可能である。
【０１２７】
例えば、前記実施の形態１及び２では、通信装置１として、電話機を用いた形態を示したが、本発明はこれに限らず、電話機能を有するパーソナルコンピュータ等の電話機以外の装置を用いる等、様々な形態に展開することが可能である。
【０１２８】
また、例えば、前記実施の形態１及び２では、１台の電話機を通信装置１として用いる形態を示したが、本発明はこれに限らず、親機である通信装置１に、子機が付属している形態であっても良い。このような形態の場合、子機から親機を介して電話装置２へ発呼命令を送信する等、様々な形態に展開することが可能である。
【０１２９】
以上詳述したように、本発明に係る通信装置１は、電話通信網ＴＮを介さずとも電話装置２と通信することが可能な通信装置１であって、電話通信網ＴＮを介さずに電話装置２と無線による通信接続が可能な第１の接続部（近距離通信部１２０）と、接続された電話装置２に電力を供給し、かつ接続された電話装置２と通信が可能な第２の接続部（接続部１２１）と、第１の接続部にて無線による通信接続を確立した電話装置２から、該電話装置２を識別する識別情報を取得する第１の取得手段と、第２の接続部に接続された電話装置２から、該電話装置２を識別する識別情報を取得する第２の取得手段と、前記第１の取得手段及び第２の取得手段にて取得した識別情報に基づいて、電話通信網ＴＮに接続させる発呼処理を実行する電話装置２の候補を出力する出力部（表示部１３０）と、電話装置２に発呼処理を実行させる発呼命令を、候補のうちから選択された電話装置２へ送信する手段とを備えることを特徴とする。
【０１３０】
本発明によれば、ユーザは、接続状況を加味して最適な電話装置２を選択し、発呼させることが可能である。
【０１３１】
また、本発明に係る通信装置１は、前記出力部は、前記取得した識別情報に基づいて出力する電話装置２の候補に、該電話装置２の接続状況の情報を対応付けて出力することを特徴とする。
【０１３２】
本発明によれば、ユーザは、接続状況を容易に確認することが可能である。
【０１３３】
また、本発明に係る通信装置１は、前記出力部は、電話装置２の候補を、接続している接続部（近距離通信部１２０、接続部１２１）を示す情報に対応付けて出力することを特徴とする。
【０１３４】
本発明によれば、ユーザは、各電話装置２，２，…がどのように接続されているかを容易に確認することが可能である。
【０１３５】
また、本発明に係る通信装置１は、前記出力部は、前記第１の接続部及び第２の接続部の両方に接続されている電話装置２を除外して、発呼処理を実行する電話装置２の候補を出力することを特徴とする。
【０１３６】
本発明によれば、充電中の電話装置２を除外して発呼処理を実行させることができるので、電話装置２を効率良く充電することが可能である。
【０１３７】
本発明に係る電話通信システムは、前記通信装置１と、電話通信網ＴＮを介さずとも前記通信装置１と通信することが可能な一又は複数の電話装置２を備え、前記通信装置１は、前記電話装置２と第１の接続部（近距離通信部１２０）にて無線による通信接続が可能であり、前記電話装置２が第２の接続部（接続部１２１）に接続された場合に、前記電話装置２に電力を供給し、かつ接続された電話装置２と通信が可能であることを特徴とする。
【０１３８】
本発明によれば、通信装置１を操作するユーザは、接続状況を加味して最適な電話装置２を選択し、発呼させることが可能である。
【０１３９】
本発明に係る電話通信システムは、通信装置１と、電話通信網ＴＮを介さずとも前記通信装置１と通信することが可能な一又は複数の電話装置２，２，…とを用いた電話通信方法であって、前記通信装置１は、電話通信網ＴＮを介さずに無線による通信接続を確立した電話装置２から、該電話装置２を識別する識別情報を取得し、電力を供給し、かつ通信が可能な接続部（接続部１２１）に接続された電話装置２から、該電話装置２を識別する識別情報を取得し、それぞれ取得した識別情報に基づいて、電話通信網ＴＮに接続させる発呼処理を実行する電話装置２の候補を出力し、電話装置２に発呼処理を実行させる発呼命令を、候補のうちから選択された電話装置２へ送信することを特徴とする。
【０１４０】
本発明によれば、通信装置１を操作するユーザは、接続状況を加味して最適な電話装置２を選択し、発呼させることが可能である。
【符号の説明】
【０１４１】
１  通信装置
１００  制御部
１０１  記録部
１０２  充電回路
１１０  回線部
１１１  着呼検出部
１１２  ＤＴＭＦ信号検出部
１１３  ＤＴＭＦ信号発生部
１１４  送受話器
１２０  近距離通信部（第１の接続部）
１２１  接続部（第２の接続部）
１３０  表示部
１３１  キー操作部
１３２  スピーカ
２  電話装置
２００  制御部
２０１  記録部
２０２  充電回路
２０３  電池
２１０  無線回線通信部
２１１  通信制御部
２２０  近距離通信部
２２１  接続部
２３０  表示部
２３１  操作部
２３２  音声復号部
２３３  音声符号化部
【図１】
2014179867.tif 000003
【図２】
2014179867.tif 000004
【図３】
2014179867.tif 000005
【図４】
2014179867.tif 000006
【図５】
2014179867.tif 000007
【図６】
2014179867.tif 000008
【図７】
2014179867.tif 000009
【図８】
2014179867.tif 000010
【図９】
2014179867.tif 000011
【図１０】
2014179867.tif 000012
【図１１】
2014179867.tif 000013
【図１２】
2014179867.tif 000014
【図１３】
2014179867.tif 000015
【図１４】
2014179867.tif 000016
【図１５】
2014179867.tif 000017